(57)【要約】【課題】複数の電線を有するコードの一部と、各電線の端末に個別に接続される電線接続部を有する端子の一部とが、コネクタハウジングにインサート成形されて成る電気コネクタにおいて、コードの電線および端子の接続構造を単純化し、接続作業を容易とする。【解決手段】ホルダ１５に、端子１４を保持する保持部１７と、端子１４の電線接続部１４ｃおよび電線１２の一部を収容して保持部１７に連なる収容溝１８と、電線接続部１４ｃおよび電線１２の端末を抵抗溶接することを可能とする溶接窓１９と、コネクタハウジング成形用金型に当接、支持するための複数の支持部２０，２１とが設けられ、ホルダ１５と、該ホルダ１５に組付けられる端子１４の一部と、それらの端子１４に各電線１２を電気的に接続せしめたコード１１の一部とが、各支持部２０，２１の先端をコネクタハウジングの外面に臨ませるようにして該コネクタハウジングで覆われる。【選択図】        図６
2004342460.tif 000002
【特許請求の範囲】
【請求項１】
複数の電線（１２）を有するコード（１１）の一部と、前記各電線（１２）の端末に個別にかつ電気的に接続される電線接続部（１４ｃ）を有する金属製の端子（１４）の一部とが、合成樹脂から成るコネクタハウジング（１６）にインサート成形されて成る電気コネクタにおいて、前記コネクタハウジング（１６）で少なくとも一部が覆われるホルダ（１５）に、並列状態にある複数の前記端子（１４）をそれぞれ保持する保持部（１７）と、それらの保持部（１７）で保持された前記各端子（１４）の電線接続部（１４ｃ）ならびにそれらの電線接続部（１４ｃ）に接続されるべき前記各電線（１２）の一部を収容するようにして前記各保持部（１７）に連なる複数条の収容溝（１８）と、前記各電線接続部（１４ｃ）および前記各電線（１２）の端末を抵抗溶接によって電気的に接続することを可能とするために前記各収容溝（１８）の底の一部を切欠いて形成される溶接窓（１９）と、前記コネクタハウジング（１６）を成形する金型に当接、支持するための複数の支持部（２０，２１）とが設けられ、前記ホルダ（１５）と、該ホルダ（１５）に組付けられる複数の前記端子（１４）の一部と、それらの端子（１４）に各電線（１２）を電気的に接続せしめた前記コード（１１）の一部とが、前記各支持部（２０，２１）の先端を前記コネクタハウジング（１６）の外面に臨ませるようにして該コネクタハウジング（１６）で覆われることを特徴とする電気コネクタ。
【発明の詳細な説明】
【０００１】
【発明の属する技術分野】
本発明は、複数の電線を有するコードの一部と、前記各電線の端末に個別にかつ電気的に接続される電線接続部を有する金属製の端子の一部とが、合成樹脂から成るコネクタハウジングにインサート成形されて成る電気コネクタに関する。
【０００２】
【従来の技術】
このような電気コネクタは、たとえば特許文献１等で既に知られており、このものでは、コードが備える一対の電線が、それらの電線の端末にそれぞれ固着される圧着端子を介して、一対の端子に電気的に接続されている。
【０００３】
【特許文献１】
特開平１３−７６７９８号公報
【０００４】
【発明が解決しようとする課題】
ところで上記従来のものでは、コネクタハウジング内にホルダの一部がインサートされるものであり、各端子よりも幅広である圧着端子をそれらの圧着端子同士の干渉を回避しつつ前記ホルダに並列配置するにあたり、ホルダすなわちコネクタハウジングが幅広になることを防止するために、ホルダの一面側には、一方の前記圧着端子に圧入される第１の端子と、予備端子とが並列配置され、ホルダの他面側には、他方の圧着端子に圧入される第２の端子が前記予備端子に電気的に接続されつつ配置されており、コードの各電線および各端子の接続構造が複雑であり、各電線および各端子を電気的に接続する作業が煩雑となる。
【０００５】
本発明は、かかる事情に鑑みてなされたものであり、コードの電線および端子の接続構造を単純化し、接続作業を容易とした電気コネクタを提供することを目的とする。
【０００６】
【課題を解決するための手段】
上記目的を達成するために、本発明は、複数の電線を有するコードの一部と、前記各電線の端末に個別にかつ電気的に接続される電線接続部を有する金属製の端子の一部とが、合成樹脂から成るコネクタハウジングにインサート成形されて成る電気コネクタにおいて、前記コネクタハウジングで少なくとも一部が覆われるホルダに、並列状態にある複数の前記端子をそれぞれ保持する保持部と、それらの保持部で保持された前記各端子の電線接続部ならびにそれらの電線接続部に接続されるべき前記各電線の一部を収容するようにして前記各保持部に連なる複数条の収容溝と、前記各電線接続部および前記各電線の端末を抵抗溶接によって電気的に接続することを可能とするために前記各収容溝の底の一部を切欠いて形成される溶接窓と、前記コネクタハウジングを成形する金型に当接、支持するための複数の支持部とが設けられ、前記ホルダと、該ホルダに組付けられる複数の前記端子の一部と、それらの端子に各電線を電気的に接続せしめた前記コードの一部とが、前記各支持部の先端を前記コネクタハウジングの外面に臨ませるようにして該コネクタハウジングで覆われることを特徴とする。
【０００７】
このような構成によれば、ホルダが備える複数の保持部に端子をそれぞれ保持した状態で各収容溝に収容した電線および各端子の電線接続部を、溶接窓を利用した抵抗溶接により容易に接続することができ、しかも相互に接続された状態にある各端子および電線をホルダに安定的に保持することができ、コネクタハウジングの型成形時にはホルダが備える支持部を金型に当接、支持させることで、ホルダのがたつきを抑えてコネクタハウジングのインサート成形が容易となる。
【０００８】
【発明の実施の形態】
以下、本発明の実施の形態を、添付の図面に示した本発明の一実施例に基づいて説明する。
【０００９】
図１〜図６は本発明の一実施例を示すものであり、図１は電気コネクタの側面図、図２は電気コネクタの製造過程を順次示す斜視図、図３は図１の３−３線断面図、図４は図３の４−４線断面図、図５は図４の５−５線断面図、図６はホルダ、端子およびコードを分解状態で示す平面図である。
【００１０】
先ず図１および図２において、コード１１は、たとえば車両に取付けられるセンサからの信号伝達用として用いられるものであり、該コード１１の端部に電気コネクタ１３が取付けられる。
【００１１】
この電気コネクタ１３は、複数たとえば一対の電線１２，１２を有するコード１１の一部と、前記各電線１２，１２の端末に個別にかつ電気的に接続される電線接続部１４ｃ…を有する複数たとえば一対の金属製の端子１４，１４の一部と、合成樹脂から成るホルダ１５とが、合成樹脂から成るコネクタハウジング１６にインサート成形されて成るものである。
【００１２】
図２に注目して、ホルダ１５には、先ず前記両端子１４、１４が組付けられ、ホルダ１５に組付けられた状態の前記両端子１４，１４にコード１１の電線１２，１２の端末がさらに組付けられ、各電線１２，１２の端末および前記各端子１４，１４が抵抗溶接で電気的に接続された状態で、前記ホルダ１５と、該ホルダ１５に組付けられる一対の前記端子１４，１４の一部と、それらの端子１４，１４に各電線１２，１２を電気的に接続せしめた前記コード１１の一部とが、コネクタハウジング１６で覆われることにより、電気コネクタ１３が構成される。
【００１３】
図３〜図６を併せて参照して、ホルダ１５には、並列状態にある一対の前記端子１４，１４をそれぞれ保持する一対の保持部１７，１７と、それらの保持部１７，１７で保持された前記各端子１４，１４の電線接続部１４ｃ…ならびにそれらの電線接続部１４ｃに…接続されるべき前記各電線１２，１２の一部を収容するようにして各保持部１７，１７に連なる複数条たとえば２条の収容溝１８，１８と、各電線接続部１４ｃおよび各電線１２，１２の端末を抵抗溶接によって電気的に接続することを可能とするために各収容溝１８，１８の底の一部を切欠いて形成される溶接窓１９，１９と、コネクタハウジング１６を成形する金型に当接、支持するための複数の支持部２０，２０；２１，２１とが設けられる。
【００１４】
ところで、各端子１４は、略Ｕ字状に屈曲された中央屈曲部１４ａと、他の雌型端子１４（図示せず）との嵌合による電気的な接続を可能として前記中央屈曲部の一端に直角に連なる端子接続部１４ｂと、前記中央屈曲部１４ａの他端に直角に連なる電線接続部１４ｃとを一体に有するものであり、端子接続部１４ｂおよび電線接続部１４ｃは同一平面上に配置されるようにして中央屈曲部１４ａの両端に連設される。電線接続部１４ｃは中央屈曲部１４ａと幅を同じくして形成され、また電線接続部１４ｃの中央屈曲部１４ａ寄りの部分には、中央屈曲部１４ａよりも幅を狭くした首部１４ｄが形成される。
【００１５】
一対の保持部１７…および２条の収容溝１８…は、相互間に隔壁２２を介在させるよにしてホルダ１５の一面側に設けられており、両保持部１７…は、前記両端子１４…の中央屈曲部１４ａ…をホルダ１５の一面側から嵌合することで両端子１４…を保持するようにホルダ１５に形成され、各保持部１７…の一端は、端子接続部１４ｂ…の基部を配置し得るようにして幅を狭くした開口部２３，２３によりホルダ１５の一端側外方に開放されており、各保持部１７…の他端は、電線接続部１４ｃ…の基部すなわち首部１４ｄ…を配置し得るようにして幅を狭くした連通口２４，２４を介して各収容溝１８…に連なっている。
【００１６】
而して両端子１４…の中央屈曲部１４ａを各保持部１７…に嵌合、保持した状態で各端子接続部１４ｂ…はホルダ１５から突出され、各電線接続部１４ｃは、各保持部１７…に個別に連なる収容溝１８…に収容される。
【００１７】
コード１１の端部から突出した一対の電線１２，１２の端末は、前記各端子１４…の電線接続部１４ｃ…に重なるようにしてホルダ１５の他端側から前記各収容溝１８…に収容される。しかも溶接窓１９…は、相互に重なった各電線接続部１４ｃ…および各電線１２…の端末を、両側から挟んで抵抗溶接することを可能とするために、前記両収容溝１８…の底の一部を切欠くようにしてホルダ１５に設けられる。さらに支持部２０…，２１…は、ホルダ１５の両端部から両側方に突出するようにしてホルダ１５に一体に設けられており、これらの支持部２０…，２１…の先端は、ホルダ１５を覆ってコネクタハウジング１６を型成形した後には、該コネクタハウジング１６の外面に臨んで配置されることになる。
【００１８】
しかもホルダ１５の外面の複数箇所には、コネクタハウジング１６のインサート成形時に先端部を溶かすことでコネクタハウジング１６との密着性を高めてシール性を向上させるために、三角形の横断面形状を有する複数の突条２５…が一体に突設される。
【００１９】
ところで、コネクタハウジング１６は、ホルダ１５と、該ホルダ１５に組付けられる一対の端子１４…の一部と、それらの端子１４…に各電線１２，１２を電気的に接続せしめた前記コード１１の一部とを覆うハウジング主部１６ａと、該ハウジング主部１６ａに一体に連なる接続筒部１６ｂとから成るものであり、前記両端子１４…の端子接続部１４ｂ…は、ホルダ１５から突出して接続筒部１６ｂ内に並列配置されることになる。
【００２０】
次にこの実施例の作用について説明すると、電気コネクタ１３は、ホルダ１５と、該ホルダ１５に組付けられる一対の端子１４，１４の一部と、それらの端子１４，１４に各電線１２，１２を電気的に接続せしめたコード１１の一部とが、合成樹脂から成るコネクタハウジング１６で覆われて成るものであり、前記ホルダ１５には、並列状態にある一対の前記端子１４…をそれぞれ保持する保持部１７…と、それらの保持部１７…で保持された前記各端子１４…の電線接続部１４ｃ…ならびにそれらの電線接続部１４ｃ…に接続されるべき各電線１２…の一部を収容するようにして前記各保持部１７…に連なる２条の収容溝１８…と、各電線接続部１４ｃ…および各電線１２…の端末を抵抗溶接によって電気的に接続することを可能とするために各収容溝１８…の底の一部を切欠いて形成される溶接窓１９…と、コネクタハウジング１６を成形する金型に当接、支持するための複数の支持部２０…，２１…とが設けられる。
【００２１】
したがってホルダ１５が備える一対の保持部１７…に端子１４…をそれぞれ保持した状態で各収容溝１８…に収容した電線１２…および各端子１４…の電線接続部１４ｃ…を、溶接窓１９…を利用した抵抗溶接により容易に接続することができる。
【００２２】
しかも相互に接続された状態にある各端子１４…および電線１２…をホルダ１５に安定的に保持することが可能であり、コネクタハウジング１６の型成形時にはホルダ１５が備える支持部２０…，２１…を金型に当接、支持させることで、ホルダ１５のがたつきを抑えることができ、コネクタハウジング１６のインサート成形が容易となる。
【００２３】
以上、本発明の実施例を説明したが、本発明は上記実施例に限定されるものではなく、特許請求の範囲に記載された本発明を逸脱することなく種々の設計変更を行うことが可能である。
【００２４】
【発明の効果】
以上のように本発明によれば、ホルダが備える複数の保持部に端子をそれぞれ保持した状態で各収容溝に収容した電線および各端子の電線接続部を、溶接窓を利用した抵抗溶接により容易に接続することができ、しかも相互に接続された状態にある各端子および電線をホルダに安定的に保持することができ、コネクタハウジングの型成形時にはホルダが備える支持部を金型に当接、支持させることで、ホルダのがたつきを抑えてコネクタハウジングのインサート成形が容易となる。
【図面の簡単な説明】
【図１】電気コネクタの側面図である。
【図２】電気コネクタの製造過程を順次示す斜視図である。
【図３】図１の３−３線断面図である。
【図４】図３の４−４線断面図である。
【図５】図４の５−５線断面図である。
【図６】ホルダ、端子およびコードを分解状態で示す平面図である。
【符号の説明】
１１・・・コード
１２・・・電線
１３・・・電気コネクタ
１４・・・端子
１４ｃ・・・電線接続部
１５・・・ホルダ
１６・・・コネクタハウジング
１７・・・保持部
１８・・・収容溝
１９・・・溶接窓
２０，２１・・・支持部
【図１】
2004342460.tif 000003
【図２】
2004342460.tif 000004
【図３】
2004342460.tif 000005
【図４】
2004342460.tif 000006
【図５】
2004342460.tif 000007
【図６】
2004342460.tif 000008